(57)【特許請求の範囲】
【請求項１】
下部基台と、上部基台と、下部基台と上部基台との間に介在された振り子型免震機構と、下部基台に対して振り子型免震機構を水平面内で回転自在とするように、下部基台と振り子型免震機構との間に介在された下部ベアリング機構と、振り子型免震機構に対して上部基台を水平面内で回転自在とするように、振り子型免震機構と上部基台との間に介在された上部ベアリング機構とを具備しており、振り子型免震機構は、下部台と、この下部台に対面して且つ下部台に対して可動に配された上部台と、下部台と上部台との間に介在されて、下部台と上部台とに対して水平方向に可動に配された作動子とを具備しており、下部及び上部ベアリング機構による下部基台及び上部基台に対する振り子型免震機構の回転軸心は、非作動時における振り子型免震機構の作動子の中心を通る垂直軸に対して偏心している免震装置。
【請求項２】
振り子型免震機構は、作動子としてローラを具備しており、下部台は、このローラが転がり自在に当接する上面を有しており、上部台は、この下部台の上面に対面して、ローラが転がり自在に当接する下面を有しており、振り子型免震機構は、更に、下部基台に対する上部基台の水平面内での移動において、ローラを下部及び上部台の上面及び下面に沿って転がり移動させるように、ローラを案内する案内手段を具備しており、ローラは、下部及び上部台の上面及び下面の間に介在されて、下部基台に対する上部基台の水平面内での移動において下部及び上部台の上面及び下面の間で転がり移動するように、転がり軸心を有しており、非作動時における作動子の中心は、非作動時でのローラの転がり軸心である請求項１に記載の免震装置。
【請求項３】
下部及び上部台の上面及び下面の少なくとも一方は、湾曲面として形成されている請求項２に記載の免震装置。
【請求項４】
下部台は、ローラが転がり自在に当接する上面が形成された直方体形状の下部ローラ受部と、この下部ローラ受部の下面に一体的に形成された板状の下部ベアリング受部とを具備しており、上部台は、ローラが転がり自在に当接する下面が形成された直方体形状の上部ローラ受部と、この上部ローラ受部の上面に一体的に形成された板状の上部ベアリング受部とを具備しており、案内手段は、ローラの両端面に一体的に形成された鍔を具備しており、この鍔は、下部及び上部ローラ受部のそれぞれの側面に摺動自在に接触している請求項２又は３に記載の免震装置。
【請求項５】
振り子型免震機構は、作動子として摺動子を具備しており、下部台は、この摺動子の下面が摺動自在に当接する上面を有しており、上部台は、この下部台の上面に対面して、摺動子の上面が摺動自在に当接する下面を有しており、振り子型免震機構は、更に、下部基台に対する上部基台の水平面内での移動において、摺動子を下部及び上部台の上面及び下面に沿って摺動させるように、摺動子を案内する案内手段を具備しており、下部台の上面は、下に凸の湾曲面として、上部台の下面は、上に凸の湾曲面としてそれぞれ形成されており、摺動子の下面は、下に凸の湾曲面として形成された下部台の上面と同一の曲率をもった湾曲面として、摺動子の上面は、上に凸の湾曲面として形成された上部台の下面と同一の曲率をもった湾曲面としてそれぞれ形成されており、摺動子は、湾曲面として形成された下部及び上部台の上面及び下面の間に介在されて、下部基台に対する上部基台の水平面内での移動において下部及び上部台の上面及び下面の間で揺動するように、揺動軸心を有しており、非作動時における作動子の中心は、非作動時での摺動子の揺動軸心である請求項１に記載の免震装置。
【請求項６】
下部台は、摺動子の下面が摺動自在に当接する上面が形成された直方体形状の下部摺動子受部と、この下部摺動子受部の下面に一体的に形成された板状の下部ベアリング受部とを具備しており、上部台は、摺動子の上面が摺動自在に当接する下面が形成された直方体形状の上部摺動子受部と、この上部摺動子受部の上面に一体的に形成された板状の上部ベアリング受部とを具備しており、案内手段は、摺動子の両端面に一体的に形成された鍔を具備しており、この鍔は、下部及び上部摺動子受部のそれぞれの側面に摺動自在に接触している請求項５に記載の免震装置。
【請求項７】
下部及び上部ベアリング機構はそれぞれ、スラストベアリング機構とラジアルベアリング機構とを具備しており、スラストベアリング機構は、ボール又はローラベアリングを具備している請求項１から６のいずれか一項に記載の免震装置。
【請求項８】
ラジアルベアリング機構は、ボール若しくはローラベアリング又は滑りベアリングを具備している請求項７に記載の免震装置。
【請求項９】
請求項１から８のいずれか一項に記載の免震装置を少なくとも３個具備しており、この各免震装置の下部基台は、基礎上に設けられており、各免震装置の上部基台上には、台枠が設けられている免震構造体。
【発明の詳細な説明】
【０００１】
【発明の属する技術分野】
本発明は、地震等の振動を構造物に伝達させないで、地震等による構造物の振動エネルギを減衰させるように構造物を支持するための免震装置及び免震装置を用いた免震構造体に関する。
【０００２】
【発明が解決しようとする課題】
例えば特公昭６２−３２３００号公報に記載され免震装置（本発明ではこのような免震装置を振り子型免震機構という）は、展示台上に載置された美術品又は展示ケース内に収容された美術品の、地震等の振動による転倒を防止して、これら美術品を破壊させないように保護する免震台に用いられる。
【０００３】
そして、この種の振り子型免震機構を免震台に用いる場合、当該振り子型免震機構が位置方向のみの振動にしか応答し得ないため、通常、一段目が水平面内の一の方向、例えばＸ方向の振動に応答するように、二段目がこの一方向に直交する他の一の方向、例えばＹ方向の振動に応答するようにして二段重ねで使用し、これにより全ての水平方向の振動に応答させるようにしている。
【０００４】
ところで、上記の振り子型免震機構による免震台では、二段重ねであるため嵩高となる上に、各段に同数の振り子型免震機構を設けるために、その費用がかさみ構造が複雑となり、加えて、重心が上方に移動して不安定となるため、免震台を幅広にする必要があり、水平面方向における広い設置空間を必要とする。
【０００５】
このような問題は、美術品を載置、格納する免震台、免震ケースに振り子型免震機構を用いる場合に限って生じるものではなく、一般の住宅を免震にするためにこれを適用する場合にも生じ得るのである。
【０００６】
本発明は、前記諸点に鑑みてなされたものであって、その目的とするところは、振り子型免震機構を二段重ねで使用しなくても全ての水平方向の振動に応答させることができ、而して、構造物に適用しても高さの低いものとし得る上に、それ程広い占有面積でなくても安定に構造物を支持することができ、しかも、振り子型免震機構の個数を低減し得るので廉価、簡易構成となる免震装置及びこの免震装置を用いた免震構造体を提供することにある。
【０００７】
【課題を解決するための手段】
本発明の免震装置は、下部基台と、上部基台と、下部基台と上部基台との間に介在された振り子型免震機構と、下部基台に対して振り子型免震機構を水平面内で回転自在とするように、下部基台と振り子型免震機構との間に介在された下部ベアリング機構と、振り子型免震機構に対して上部基台を水平面内で回転自在とするように、振り子型免震機構と上部基台との間に介在された上部ベアリング機構とを具備しており、振り子型免震機構は、下部台と、この下部台に対面して且つ下部台に対して可動に配された上部台と、下部台と上部台との間に介在されて、下部台と上部台とに対して水平方向に可動に配された作動子とを具備しており、下部及び上部ベアリング機構による下部基台及び上部基台に対する振り子型免震機構の回転軸心は、非作動時における振り子型免震機構の作動子の中心を通る垂直軸に対して偏心している。
【０００８】
本発明の振り子型免震機構は、作動子としてローラを具備しており、下部台は、このローラが転がり自在に当接する上面を有しており、上部台は、この下部台の上面に対面して、ローラが転がり自在に当接する下面を有しており、ここにおいて、振り子型免震機構は、更に、下部基台に対する上部基台の水平面内での移動において、ローラを下部及び上部台の上面及び下面に沿って転がり移動させるように、ローラを案内する案内手段を具備しており、ローラは、下部及び上部台の上面及び下面の間に介在されて、下部基台に対する上部基台の水平面内での移動において下部及び上部台の上面及び下面の間で転がり移動するように、転がり軸心を有している。この振り子型免震機構においては、非作動時における作動子の中心は、非作動時でのローラの転がり軸心である。
【０００９】
下部及び上部台の上面及び下面は、作動子として特公昭６２−３２３００号公報に記載の偏心ローラを用いる場合には、それぞれ平坦面として形成してもよいが、このような偏心ローラを用いない場合には、その少なくとも一方を湾曲面として形成する。
【００１０】
本発明の作動子としてローラを用いた振り子型免震機構においては、下部台は、ローラが転がり自在に当接する上面が形成された直方体形状の下部ローラ受部と、この下部ローラ受部の下面に一体的に形成された板状の下部ベアリング受部とを具備しており、上部台は、ローラが転がり自在に当接する下面が形成された直方体形状の上部ローラ受部と、この上部ローラ受部の上面に一体的に形成された板状の上部ベアリング受部とを具備しており、案内手段は、ローラの両端面に一体的に形成された鍔を具備しており、この鍔は、下部及び上部ローラ受部のそれぞれの側面に摺動自在に接触している。
【００１１】
なお、上記の振り子型免震機構において、ローラの転がり移動に際して、これが当接する上面及び下面に対して滑らないように、ローラの外周面並びに上面及び下面に歯を形成して、これらを互いに噛み合わせるようにしてもよく、また、ローラに一体的にピニオンを設け、このピニオンを上面及び下面に形成されたラック歯に噛み合わせるようにしてもよい。
【００１２】
本発明の振り子型免震機構は、作動子として摺動子を具備したものであってもよく、この場合、下部台は、この摺動子の下面が摺動自在に当接する上面を有しており、上部台は、この下部台の上面に対面して、摺動子の上面が摺動自在に当接する下面を有しており、振り子型免震機構は、更に、下部基台に対する上部基台の水平面内での移動において、摺動子を下部及び上部台の上面及び下面に沿って摺動させるように、摺動子を案内する案内手段を具備しており、下部台の上面は、下に凸の湾曲面として、上部の下面は、上に凸の湾曲面としてそれぞれ形成されており、摺動子の下面は、下に凸の湾曲面として形成された下部台の上面と同一の曲率をもった湾曲面として、摺動子の上面は、上に凸の湾曲面として形成された上部台の下面と同一の曲率をもった湾曲面としてそれぞれ形成されており、摺動子は、湾曲面として形成された下部及び上部台の上面及び下面の間に介在されて、下部基台に対する上部基台の水平面内での移動において下部及び上部台の上面及び下面の間で揺動するように、揺動軸心を有している。この振り子型免震機構においては、非作動時における作動子の中心は、非作動時での摺動子の揺動軸心である
【００１３】
本発明の作動子として摺動子を有する振り子型免震機構においては、下部台は、摺動子の下面が摺動自在に当接する上面が形成された直方体形状の下部摺動子受部と、この下部摺動子受部の下面に一体的に形成された板状の下部ベアリング受部とを具備しており、上部台は、摺動子の上面が摺動自在に当接する下面が形成された直方体形状の上部摺動子受部と、この上部摺動子受部の上面に一体的に形成された板状の上部ベアリング受部とを具備しており、案内手段は、摺動子の両端面に一体的に形成された鍔を具備しており、この鍔は、下部及び上部摺動子受部のそれぞれの側面に摺動自在に接触している。
【００１４】
本発明において、下部及び上部ベアリング機構はそれぞれ、スラストベアリング機構とラジアルベアリング機構とを具備しており、スラストベアリング機構は、ボール又はローラベアリングを具備しており、ラジアルベアリング機構は、ボール若しくはローラベアリング又は滑りベアリングを具備している。
【００１５】
本発明の上記の免震装置を少なくとも３個を平面的に配して構造物、例えば住宅又は美術品の展示台若しくは展示ケースを免震支持する。この場合、各免震装置の下部基台を基礎上に設け、各免震装置の上部基台上に、住宅の床又は美術品の展示台若しくは展示ケースの台枠を設けて、免震構造体を構成する。
【００１６】
【発明の実施の形態】
次に本発明の実施の形態を、図に示す好ましい実施例に基づいて更に詳細に説明する。なお、本発明はこれら実施例に何等限定されないのである。
【００１７】
【実施例】
図１及び図２において本例の免震装置１は、下部基台２と、下部台２に対面して且つ下部台２に対して可動に配された上部基台３と、下部基台２と上部基台３との間に介在されており、水平方向に可動な作動子としてローラ３５を有した振り子型免震機構４と、下部基台２に対して振り子型免震機構４を水平面内であって、当該水平面に直交する回転軸心５の周りでＡ方向に回転自在とするように、下部基台２と振り子型免震機構４との間に介在された下部ベアリング機構６と、振り子型免震機構４に対して上部基台３を水平面内であって、回転軸心５の周りでＡ方向に回転自在とするように、振り子型免震機構４と上部基台３との間に介在された上部ベアリング機構７とを具備している。
【００１８】
平面形状において矩形状の下部基台２には、上方に開口して、回転軸心５を中心とした環状凹所１１と、同じく上方に開口して、回転軸心５を中心とした円柱状凹所１２とがその上面側に形成されている。好ましくは、下部基台２は、金属製の本体１４と、環状凹所１１において本体１４の上に配された天然若しくは合成ゴム等からなる弾性板１５と、弾性板１５の上に配された剛性（硬質）の金属板１６とを具備しており、金属板１６の上面露出面を環状凹所１１の底面１３とする。
【００１９】
平面形状において矩形状の上部基台３には、下方に開口して、回転軸心５を中心とした環状凹所２１と、同じく下方に開口して、回転軸心５を中心とした円柱状凹所２２とがその下面側に形成されている。下部基台２と同様に、好ましくは、上部基台３は、金属製の本体２４と、環状凹所２１において本体２４の下に配された天然若しくは合成ゴム等からなる弾性板２５と、弾性板２５の下に配された剛性（硬質）の金属板２６とを具備しており、金属板２６の下面露出面を環状凹所２１の天井面２３とする。
【００２０】
振り子型免震機構４は、上面に下に凸の湾曲面３１が形成された下部台３２と、下部台３２の湾曲面３１に対面して、下面に上に凸の湾曲面３３が形成された上部台３４と、下部及び上部台３２及び３４のそれぞれの湾曲面３１及び３３に転がり接触しており、下部及び上部台３２及び３４の間に介在されて、下部基台２に対する上部基台３の水平面内での移動において下部及び上部台３２及び３４の上面及び下面の間で転がり移動するように、転がり軸心４１を有した上記の作動子としてのローラ３５と、下部基台２に対する上部基台３の水平面内での移動において、ローラ３５を、下部及び上部台３２及び３４のそれぞれの湾曲面３１及び３３に沿って転がり移動するように、案内する案内手段３６とを具備している。
【００２１】
湾曲面３１及び３３の曲率中心は、振り子型免震機構４の非作動時におけるローラ３５の転がり軸心４１に位置しており、非作動時におけるローラ３５の転がり軸心４１を通る垂直軸４２は、回転軸心５から偏心している。このように本例では、非作動時における振り子型免震機構の作動子の中心は、非作動時におけるローラ３５の転がり軸心４１で定義付けることができる。
【００２２】
下部台３２は、上面に湾曲面３１が形成された直方体形状の下部ローラ受部４５と、下部ローラ受部４５の下面に一体的に形成されて、下面に柱状軸部４６を一体的に有した円板状の下部ベアリング受部４７とを具備している。
【００２３】
上部台３４は、下面に湾曲面３３が形成された直方体形状の上部ローラ受部４８と、上部ローラ受部４８の上面に一体的に形成されて、上面に柱状軸部４９を一体的に有した円板状の上部ベアリング受部５０とを具備している。
【００２４】
案内手段３６は、ローラ３５の両端面に一体的に形成された一対の鍔５１及び５２を具備しており、鍔５１及び５２はそれぞれ、下部及び上部ローラ受部４５及び４８のそれぞれの対応の側面５３及び５４並びに５５（上部ローラ受部４８の側面５５に対向する側面は図示せず）に摺動自在に接触している。なお、一対の鍔５１及び５２が摺動自在に接触する側面５３及び５４並びに５５と当該側面５３及び５４並びに５５に摺動自在に接触する一対の鍔５１及び５２の側面とのいずれか少なくとも一方を低摩擦部材から形成するとよい。
【００２５】
湾曲面３１及び３３のそれぞれの両端において、下部及びローラ受部４５及び４８には、ローラ３５の転がり移動を限定する突状部５６及び５７が形成されている。
【００２６】
下部ベアリング機構６は、環状凹所１１に配されたスラストベアリング機構６１と、円柱状凹所１２に配されたラジアルベアリング機構６２とを具備している。
【００２７】
スラストベアリング機構６１は、底面１３及び下部ベアリング受部４７の下面にそれぞれ回転自在に接触する多数の鋼製のボール６３と、ボール６３を回転自在に支持する支持部材６４とを具備している。
【００２８】
ラジアルベアリング機構６２は、柱状軸部４６の周面と円柱状凹所１２の側壁面との間にＡ方向に回転自在に嵌装されたブッシュ軸受６５からなる。
【００２９】
上部ベアリング機構７は、下部ベアリング機構６と同様に構成されており、環状凹所２１に配されたスラストベアリング機構７１と、円柱状凹所２２に配されたラジアルベアリング機構７２とを具備している。
【００３０】
スラストベアリング機構７１は、天井面２３及び上部ローラ受部５０の下面にそれぞれ回転自在に接触する多数の鋼製のボール７３と、ボール７３を回転自在に支持する支持部材７４とを具備している。
【００３１】
ラジアルベアリング機構７２は、柱状軸部４９の周面と円柱状凹所２２の側壁面との間にＡ方向に回転自在に嵌装されたブッシュ軸受７５からなる。
【００３２】
なお、スラストベアリング機構６１及び７１には、上記のようなボールベアリングに代えて、ローラベアリング又は滑りベアリングを用いてもよく、また、ラジアルベアリング機構６２及び７２には、上記のような滑りベアリングに代えて、ボール若しくはローラベアリングを用いてもよい。
【００３３】
下部ベアリング機構６による下部基台２に対する振り子型免震機構４の回転軸心５は、非作動時、すなわち、図１に示すように下部基台２に対して上部基台３が水平方向に相対移動されずに、ローラ３５が湾曲面３１及び３３の中央に位置する時における振り子型免震機構４のローラ３５の転がり軸心４１を通る垂直軸４２に対して偏心している。
【００３４】
同じく上部ベアリング機構７による上部基台３に対する振り子型免震機構４の回転軸心５は、非作動時における振り子型免震機構４のローラ３５の転がり軸心４１を通る垂直軸４２に対して偏心している。
【００３５】
以上の免震装置１は、図３及び図４に示すように、４個用いられて構造物８１を免震支持する。すなわち、各免震装置１は、その下部基台２が基礎８２上に固定して設けられ、各免震装置１の上部基台３上には、各上部基台３を互いに連結する台枠８３が固定されて設けられ、台枠８３上に、構造物８１が載置、固定される。
【００３６】
図３及び図４に示す免震構造体９１において、地震等により構造物８１が基礎８２に対して水平面内でＸ方向に相対的に移動されようとすると、ローラ３５が湾曲面３１及び３３上を転がり、これにより基礎８２に対して構造物８１に上下方向の振動を生じさせ、この構造物８１の上下方向の振動で、構造物８１の基礎８２に対する水平面内でのＸ方向の相対的な振動を減衰させる。
【００３７】
また、地震等により構造物８１が基礎８２に対して水平面内でＸ方向に直交するＹ方向に相対的に移動されようとすると、回転軸心５と垂直軸４２との偏心量に基づいた水平面内での回転モーメントが下部及び上部台３２及び３４に作用し、而して下部及び上部ベアリング機構６及び７により下部及び上部基台２及び３に対してそれぞれ回転自在に配された下部及び上部台３２及び３４が回転軸心５を中心として水平面内で回転され、ローラ３５の転がり可能方向がＹ方向に向けられて、これによりローラ３５がＹ方向において湾曲面３１及び３３上を転がり、この転がりで基礎８２に対して構造物８１に上下方向の振動を生じさせ、この構造物８１の上下方向の振動により構造物８１の基礎８２に対する水平面内でのＹ方向の相対的な振動を減衰させる。
【００３８】
以上のように免震装置１においては、これを上下方向に一段だけ配置しても、水平面内のＸ及びＹ方向の全方向の振動に対して免震作動を得ることができ、而して高さを低くすることができる上に、構造を極めて簡単にし得る。
【００３９】
ところで上記では、作動子としてローラ３５を有した振り子型免震機構４を具備した免震装置１であるが、これに代えて、図５及び図６に示すような、作動子として摺動子１０１を有した振り子型免震機構１０２を具備した免震装置１０３であってもよい。
【００４０】
図５及び図６に示す振り子型免震機構１０２は、水平方向に可動な作動子としての摺動子１０１と、摺動子１０１の下面１０４が摺動自在に当接する上面を有する、下部台３２と同様な下部台１０５と、下部台１０５の上面に対面して、摺動子１０１の上面１０６が摺動自在に当接する下面を有する、上部台３４と同様な上部台１０７と、上記の下部基台２に対する上部基台３の水平面内での移動において、摺動子１０１を下部及び上部台１０５及び１０７の上面及び下面に沿って摺動させるように、摺動子１０１を案内する案内手段１０８とを具備している。
【００４１】
上記と同様に、下部台１０５の上面は、下に凸の湾曲面１１０として、上部台１０７の下面は、上に凸の湾曲面１１１としてそれぞれ形成されており、摺動子１０１の下面１０４は、湾曲面１１０と同一の曲率をもった湾曲面として、摺動子１０１の上面１０６は、湾曲面１１１と同一の曲率をもった湾曲面としてそれぞれ形成されており、摺動子１０１は、湾曲面１１０及び１１１として形成された下部及び上部台１０５及び１０７の上面及び下面の間に介在されて、下部基台２に対する上部基台３の水平面内での移動において下部及び上部台１０５及び１０７の上面及び下面の間でＢ方向に揺動するように、揺動軸心１２０を有している。
【００４２】
湾曲面１１０及び１１１の曲率中心は、振り子型免震機構１０２の非作動時における摺動子１０１の揺動軸心１２０に位置しており、非作動時における摺動子１０１の揺動軸心１２０を通る垂直軸１２１は、前記の回転軸心５から偏心している。このように本例では、非作動時における振り子型免震機構の作動子の中心は、非作動時における摺動子１０１の揺動軸心１２０で定義付けることができる。
【００４３】
下部台１０５は、上面に湾曲面１１０が形成された直方体形状の下部摺動子受部１３１と、下部摺動子受部１３１の下面に一体的に形成されて、下面に柱状軸部１３２を一体的に有した円板状の下部ベアリング受部１３３とを具備している。
【００４４】
上部台１０７は、下面に湾曲面１１１が形成された直方体形状の上部摺動子受部１４１と、上部摺動子受部１４１の上面に一体的に形成されて、上面に柱状軸部１４２を一体的に有した円板状の上部ベアリング受部１４３とを具備している。
【００４５】
案内手段１０８は、摺動子１０１の両端面に一体的に形成された一対の鍔１５１及び１５２を具備しており、鍔１５１及び１５２はそれぞれ、鍔５１及び５２と同様に、下部及び上部摺動子受部１３１及び１４１のそれぞれの対応の側面に摺動自在に接触している。
【００４６】
下部基台２、上部基台３、下部ベアリング機構６及び上部ベアリング機構７は、免震装置１と同様に構成されており、これらの詳細な説明を省略する。
【００４７】
下部ベアリング機構６による下部基台２に対する振り子型免震機構１０２の回転軸心５は、非作動時、すなわち、図５に示すように下部基台２に対して上部基台３が水平方向に相対移動されずに、摺動子１０１が湾曲面１１０及び１１１の中央に位置する時における振り子型免震機構１０２の摺動子１０１の揺動軸心１２０を通る垂直軸１２１に対して偏心している。
【００４８】
同じく上部ベアリング機構７による上部基台３に対する振り子型免震機構１０２の回転軸心５は、非作動時における振り子型免震機構１０２の摺動子１０１の揺動軸心１２０を通る垂直軸１２１に対して偏心している。
【００４９】
以上の免震装置１０３を、図３及び図４に示す免震装置１に代えてこれと同様に配置することにより、免震装置１と同様の作用、効果を得ることができる。すなわち、地震等により構造物８１が基礎８２に対して水平面内でＸ方向に相対的に移動されようとすると、摺動子１０１が湾曲面１１０及び１１１上を摺動しながらＢ方向に揺動し、これにより基礎８２に対して構造物８１に上下方向の振動を生じさせ、この構造物８１の上下方向の振動で、構造物８１の基礎８２に対する水平面内でのＸ方向の相対的な振動を減衰させる。
【００５０】
また、地震等により構造物８１が基礎８２に対して水平面内でＹ方向に相対的に移動されようとすると、回転軸心５と垂直軸１２１との偏心量に基づいた水平面内での回転モーメントが下部及び上部台１０５及び１０７に作用し、而して下部及び上部ベアリング機構６及び７により下部及び上部基台２及び３に対してそれぞれ回転自在に配された下部及び上部台１０５及び１０７が回転軸心５を中心として水平面内で回転され、摺動子１０１の摺動可能方向がＹ方向に向けられて、これにより摺動子１０１がＹ方向において湾曲面１１０及び１１１上を摺動しながらＢ方向に揺動し、この摺動で基礎８２に対して構造物８１に上下方向の振動を生じさせ、この構造物８１の上下方向の振動により構造物８１の基礎８２に対する水平面内でのＹ方向の相対的な振動を減衰させる。
【００５１】
なお、免震装置１０３の場合には、摺動子１０１の摺動抵抗によっても構造物８１の基礎８２に対する水平面内での振動が減衰され得る。
【００５２】
【発明の効果】
以上のように本発明によれば、振り子型免震機構を二段重ねで使用しなくても全ての水平方向の振動に応答させることができ、而して、構造物に適用しても高さの低いものとし得る上に、それ程広い占有面積でなくても安定に構造物を支持することができ、しかも、振り子型免震機構の個数を低減し得るので廉価、簡易構成となる。
【図面の簡単な説明】
【図１】本発明の好ましい一実施例の一部破断側面図である。
【図２】図１に示すＩＩ−ＩＩ線断面図である。
【図３】図１に示す実施例の使用例の説明図である。
【図４】図３に示す例の平面図である。
【図５】本発明の好ましい他の実施例の一部破断側面図である。
【図６】図５に示すＶＩ−ＶＩ線断面図である。
【符号の説明】
１  免震装置
２  下部基台
３  上部基台
４  振り子型免震機構
６  下部ベアリング機構
７  上部ベアリング機構
【図１】
0003951382.tif 000002
【図２】
0003951382.tif 000003
【図３】
0003951382.tif 000004
【図４】
0003951382.tif 000005
【図５】
0003951382.tif 000006
【図６】
0003951382.tif 000007